(57)【要約】【課題】高さ方向の長さを短縮した角型のコンセントと同一サイズで、４方向のいずれの方向からもケーブルを接続することのできる露出角型コンセントを得ること。【解決手段】露出角型コンセント２００は、コンセント本体２０１と、その上蓋２０２と、両者を固定するネジ２０３によって構成されている。上蓋２０２の中央部分は凹部２０４を形成しており、この内部にネジ２０３が挿通される。コンセント本体２０１の電源プラグが差し込まれる方向と並行する４つの面には、ケースウェイの一端の接続口がそれぞれ配置されている。【選択図】図１
2007026680.tif 000002
【特許請求の範囲】
【請求項１】
周囲を構成する面よりも一段と高くなった凸部のその頂を構成する面から複数の刃をそれぞれ突出させた電源プラグにおける前記凸部と着脱自在に嵌合する凹部を備え、この凹部における前記凸部との嵌合時に前記頂を構成する面と対向する面に前記複数の刃のそれぞれを個別に差し込む刃挿入口とネジ挿入口とを配置した上蓋と、
この上蓋によって上部を覆われるコンセント本体と、
前記ネジ挿入口に挿入して前記上蓋とコンセント本体を固定するネジ
とを具備することを特徴とする露出角型コンセント。
【請求項２】
前記コンセント本体の前記電源プラグが差し込まれる方向と並行する４つの面のそれぞれに、コンセント内部に電線およびアース線を引き込む引き込み口が配置されていることを特徴とする請求項１記載の露出角型コンセント。
【請求項３】
前記引き込み口には前記電線とアース線を収容したケースウェイの一端が接続されることを特徴とする請求項２記載の露出角型コンセント。
【発明の詳細な説明】
【技術分野】
【０００１】
本発明は、比較的高容量で外部に露出して設置されるのに適した露出角型コンセントに係り、特に小型化を図った露出角型コンセントに関する。
【背景技術】
【０００２】
電磁調理器がレストラン等の事業所だけでなく家庭でも広く普及してきている。これに伴い、電磁調理台のスペースも広くなり、より多くの調理用鍋等の調理器具を同時にかつ十分な火力で使用する要請が高まっている。このため、家庭用の電磁調理器には当初、１００ボルトの電源を使用した、比較的小容量のタイプの物が多く使用されたが、次第に高容量のものが使用されてきている。これに伴い、たとえば３０アンペア２５０ボルトの高容量のコンセントが電磁調理器側の電源プラグに接続するための器具として数多く使用されるようになってきている。
【０００３】
電磁調理器に使用するコンセントは台所の片隅等の所定の場所にむき出しで取り付けられる露出角型となっている。ところが、この露出角型コンセントとして従来から使用されてきた高容量のもの（非特許文献１参照）は業務用のものである。この業務用の高容量露出角型コンセントを家庭の台所等に設置すると、その外形が大きい関係で、鍋やフライパンといった調理用の各種器具を配置するための配置スペースが大きく限定されてしまうという問題があった。
【０００４】
ところで、この高容量露出角型コンセントに対して従来使用された３０アンペア２５０ボルト用の２極接地電極付きの電源プラグは、事業所内での過酷な使用環境に耐えるため、プラグ栓刃は露出角型コンセントから容易に抜けないように最長で３５．８ｍｍの長さを有しており、栓刃両端幅では３８．７ｍｍの寸法となっている。しかしながら、家庭の台所の片隅や電磁調理ユニットの内部に露出角型コンセントが組み込まれる場合、電源プラグに大きな外力が不意に加わる可能性は事業所の場合と比べると遥かに小さくなる。そこで、プラグ栓刃の長さを従来のものよりも短くして、これが収容される露出角型コンセントの高さ（栓刃の長さ方向）を大幅に抑えるようにした新たな露出角型コンセントが提案されている。
【０００５】
図８は、この提案による露出角型コンセントの外観を表わしたものである。露出角型コンセント１００は、コンセント本体１０１と、その上蓋１０２と、両者を固定するネジ１０３によって構成されている。上蓋１０２の中央部分は約３ｍｍほどその表面から引っ込んだ凹部１０４を形成している。この凹部１０４内には、図示しない電源プラグの２極の平刃と断面がＵ字型のアース刃をそれぞれ挿入するための第１〜第３の刃挿入口１０５〜１０７が開口している。凹部１０４のすぐ上には、円形をした窪み１０８とその中央に貫通孔（図示せず）が設けられており、この貫通孔にネジ１０３が挿通されている。凹部１０４は、露出角型コンセント１００とペアで使用する図示しない電源プラグにおける対応する部位に形成された凸部と嵌合するようになっている。そして、これにより電源プラグを露出角型コンセント１００に挿着したときの安定性の確保と、電源プラグの先端が凹部１０４の底部と密着していない場合に露出した２極の平刃の箇所にユーザの指が触れないようにしている。
【０００６】
図９は、図８に示した露出角型コンセントの本体の内部構造を示したものである。コンセント本体１０１は、その平面形状がほぼ正方形となっており、図示しない電線を被覆するケースウェイ取付口１１１を図の上端部に配置したとすると、そのすぐ下に第１のコード貫通用穴１１２が開けられており、両側部にそれぞれ１つずつ第２および第３のコード貫通用穴１１３、１１４が開けられている。また、コンセント本体１０１の四隅には、このコンセント本体１０１を壁等の不動部材に固定するためのネジ穴１１５〜１１８が開けられている。
【０００７】
このようなコンセント本体１０１は、図８における第１の刃挿入口１０５に対応する位置に刃受けを加工した第１の受け金具１２１と、第２の刃挿入口１０６に対応する位置に刃受けを加工した第２の受け金具１２２と、第３の刃挿入口１０７に対応する位置に刃受けを加工した第３の受け金具１２３とが、それぞれ固定ネジ１２４〜１２６によってコンセント本体１０１に取り付けられている。また、これら固定ネジ１２４〜１２６の近傍には、電線およびアース線（共に図示せず）を第１〜第３の受け金具１２１〜１２３に接続し固定するためのバインドネジ１２７〜１２９が取り付けられている。この提案の露出角型コンセント１００は、その高さが従来のものよりも１４ｍｍ短い２６ｍｍと大幅に減少している。
【０００８】
このようなコンセント本体１０１の配線を次に説明する。コンセント本体１０１にケースウェイを用いて矢印１３１で示すように図で下向きに配線を行う際には、ケースウェイの端部をケースウェイ取付口１１１に合わせ、ここから引き出した２本の電線および１本のアース線（共に図示せず）をバインドネジ１２７〜１２９の対応するものによって第１〜第３の受け金具１２１〜１２３の対応するものに固定する。また、矢印１３２で示すように図で右方向に配線を行う場合には、第２のコード貫通用穴１１３から電線およびアース線を紙面と垂直方向上方に引き出して、これらの線をバインドネジ１２７〜１２９の対応するものによって第１〜第３の受け金具１２１〜１２３の対応するものに固定する。更に、矢印１３３で示すように図で左方向に配線を行う場合には、第３のコード貫通用穴１１４から電線およびアース線を紙面と垂直方向上方に引き出して、これらの線をバインドネジ１２７〜１２９の対応するものによって第１〜第３の受け金具１２１〜１２３の対応するものに固定する。ケースウェイ取付口１１１を用いた場合には、電線およびアース線を第１のコード貫通用穴１１２を貫通させてもよいし、第１〜第３の受け金具１２１〜１２３の取り付けられた面の上方に直接導き出して第１〜第３の受け金具１２１〜１２３の対応するものに固定してもよい。
【非特許文献１】http://www.naisweb.com/j/connectj/haisen_jpn/pdf/rosyutu.pdfには、「高容量露出コンセント」として、製品番号「ＷＫ３６３０１Ｂ」の接地２Ｐ  ３０Ａ角型コンセント薄型が示されている。そのサイズは９１．３ｍｍ×９１．３ｍｍ×４０ｍｍとなっている。
【発明の開示】
【発明が解決しようとする課題】
【０００９】
ところが、この提案された露出角型コンセント１００によれば、コンセント本体１０１にケースウェイを用いて電線およびアース線を接続する場合、図で矢印１３１で示す１つの方向でしか接続を行うことができなかった。また、ケースウェイを用いずに電線およびアース線を裸の状態で露出角型コンセント１００に接続する場合であっても、矢印１３２あるいは１３３の方向でしか配線を行うことができなかった。すなわち、角形状を有するコンセント本体１０１に電線やアース線を配線しようとすると、３方向からの配線は可能であるが、矢印１３４で示す図の下から上に向けた配線が不可能であるという問題があった。
【００１０】
これを具体的に説明する。この従来提案された露出角型コンセント１００では、図８に示したようにネジ１０３の取り付け位置が凹部１０４を避けるような場所に選定されている。このため、ネジ１０３の配置されている位置がコンセント本体１０１の中心位置から大きく変位してしまい、この結果として第３の受け金具１２３の配置されている場所にコード貫通用穴を設けることができない。したがって、電線やアース線を配線する方向が３方向に限定されてしまうという問題があった。なお、この提案の露出角型コンセント１００に電源プラグを差し込むと、この電源プラグから引き出されるケーブルの方向が、電線やアース線を配線する方向とは異なる方向、すなわち矢印１３４と平行な方向に一致するようになっていた。
【００１１】
前記した３０アンペア２５０ボルトの高容量のコンセント１０１に接続する電線およびアース線をまとめてシースを施したケーブルは、その径が１００ボルトの電源ケーブルに比べると非常に太くなり、自在に曲げることができない。したがって、図８および図９に示した露出角型コンセント１００では、たまたま露出角型コンセント１００に接続するケーブルと電源プラグから引き出されるケーブルが並行する配線が都合がよいような場合に、このような配線を行うことができなかった。このため、一方のケーブルを露出角型コンセント１００の近傍で９０度または１８０度回転させて露出角型コンセント１００あるいは電源プラグに接続する必要があり、ケーブルの余計な引き回しによる空間の無駄およびケーブルの長さの増加によるコストの増大という問題があった。
【００１２】
そこで本発明の目的は、高さ方向の長さを短縮した角型のコンセントと同一サイズで、４方向のいずれの方向からもケーブルを接続することのできる露出角型コンセントを提供することにある。
【課題を解決するための手段】
【００１３】
本発明では、（イ）周囲を構成する面よりも一段と高くなった凸部のその頂を構成する面から複数の刃をそれぞれ突出させた電源プラグにおける凸部と着脱自在に嵌合する凹部を備え、この凹部における凸部との嵌合時に頂を構成する面と対向する面に前記した複数の刃のそれぞれを個別に差し込む刃挿入口とネジ挿入口とを配置した上蓋と、（ロ）この上蓋によって上部を覆われるコンセント本体と、（ハ）ネジ挿入口に挿入して上蓋とコンセント本体を固定するネジとを露出角型コンセントに具備させる。
【００１４】
すなわち本発明では、上蓋における電源プラグの挿入のために用意された凹部にネジ挿入口を配置することで、上蓋のほぼ中央位置で上蓋とコンセント本体を上下に貫通する形でネジを通して両者を固定できることにした。従来ではこのネジが前記した凹部を避ける形で配置され、コンセント本体の中心から大きくずれた位置をこのネジが貫通したために内部の部品を効率よく配置することができなかったが、本発明では効率的な部品配置が可能になって４方向のいずれの方向からもケーブルを接続することを可能にしている。
【発明の効果】
【００１５】
以上説明したように本発明によれば、上蓋における電源プラグの挿入のために用意された凹部にネジ挿入口を配置したので、電源プラグを露出角型コンセントに装着した状態で、上蓋とコンセント本体を固定するためのネジが外部に露出していない。このため、電源プラグの挿抜のときに金属製のネジに手が触れることがなく、高圧電源用のコンセントの場合にも取扱者に感電の不安を感じさせることがない。また、電源プラグがコンセントに差し込まれることによって、ネジの上部が電源プラグによって覆われるので、経年変化によるネジの劣化を防止することができる効果もある。
【発明を実施するための最良の形態】
【００１６】
以下実施例につき本発明を詳細に説明する。
【実施例１】
【００１７】
図１は、本発明の一実施例における露出角型コンセントの外観を表わしたものである。この露出角型コンセント２００は、コンセント本体２０１と、その上蓋２０２と、両者を固定するネジ２０３によって構成されている。上蓋２０２の中央部分は約３ｍｍほどその表面から引っ込んだ凹部２０４を形成している。この凹部２０４内には、図示しない電源プラグの２極の平刃と断面がＵ字型のアース刃をそれぞれ挿入するための第１〜第３の刃挿入口２０５〜２０７が開口している。凹部２０４の上部には、円形をした窪み２０８とその中央に貫通孔（図示せず）が設けられており、この貫通孔にネジ２０３が挿通されている。凹部２０４は、露出角型コンセント２００に電源プラグを装着したときの安定性の確保と、電源プラグの先端が凹部２０４の底部と密着していない場合でも２極の平刃にユーザの指が触れないようにするための窪みである。
【００１８】
図２は、図１に示した露出角型コンセントの本体の内部構造を示したものである。コンセント本体２０１は、その平面形状がほぼ正方形となっており、図示しない電線を被覆する第１〜第４のケースウェイ取付口２１１〜２１４を上端部、右側部、下端部および左側部に１つずつ配置している。これら第１〜第４のケースウェイ取付口２１１〜２１４の近傍には、第１〜第４のコード貫通用穴２１５〜２１８が開けられている。また、コンセント本体２０１の四隅には、このコンセント本体２０１を壁等の不動部材に固定するためのネジ穴２２１〜２２４が開けられている。また、中央部よりもやや上部には、図１に示したネジ２０３を貫通させる貫通孔２２５が開けられている。
【００１９】
このようなコンセント本体２０１は、図１における第１の刃挿入口２０５に対応する位置に刃受けを加工した第１の受け金具２３１と、第２の刃挿入口２０６に対応する位置に刃受けを加工した第２の受け金具２３２と、第３の刃挿入口２０７に対応する位置に刃受けを加工した第３の受け金具２３３とが、それぞれ固定ネジ２３４〜２３６によってコンセント本体２０１に取り付けられている。また、これら固定ネジ２３４〜２３６の近傍には、電線およびアース線（共に図示せず）を第１〜第３の受け金具２３１〜２３３に接続し固定するための第１〜第３のバインドネジ２３７〜２３９が取り付けられている。
【００２０】
本実施例の露出角型コンセント２００は、そのサイズが９１．３ｍｍ×９１．３ｍｍ×２６ｍｍとなっており、これは図８および図９に示した露出角型コンセント１００と全く同一のサイズである。本実施例のコンセント本体２０１における電源プラグが差し込まれる方向と平行する４つの面には、第１〜第４のケースウェイ取付口２１１〜２１４が１つずつ設けられている。これに対応させて、矢印２４１〜２４４で示す４つの方向のうちの任意の１つの方向から図示しないケースウェイの端部を接続して、図示しない２本の電線および１本のアース線を接続することができる。接続の詳細は後に説明する。
【００２１】
図３は、図２で示した矢印２４３方向から露出角型コンセントを見たものである。露出角型コンセント２００のコンセント本体２０１には、図示しないケースウェイから引き出された電線およびアース線を通す矩形状の肉薄部２５１が存在し、その周囲を取り囲んで肉厚となった肉厚部２５２と共に第３のケースウェイ取付口２１３を構成している。図２に示した第１、第２および第４のケースウェイ取付口２１１、２１２、２１４も、これと同一の構造となっている。ケースウェイの一端をコンセント本体２０１に接続するに際しては、該当する肉薄部２５１を取り除き、ここを通過した電線およびアース線を、更に図２における第３のコード貫通用穴２１７を通過させて、図２に示すコンセント本体２０１の表面側に導き出して、バインドネジ２３７〜２３９のうちの該当するものにそれぞれ接続することになる。
【００２２】
図４〜図７は、露出角型コンセントにおける各種の配線の様子を表わしたものである。ここでは、ケースウェイの図示を省略している。このうち、図４は第１のケースウェイ取付口２１１から電線およびアース線を差し込む場合の配線の様子を示している。同様に、図５〜図７は、第２〜第４のケースウェイ取付口２１２〜２１４から電線およびアース線を差し込む場合の配線の様子を示している。それぞれ第１の電線２６１は第１のバインドネジ２３７に接続され、第２の電線２６２は第２のバインドネジ２３８に接続されている。アース線２６３は第３のバインドネジ２３９に接続されている。
【００２３】
以上説明したように、本実施例によれば、コンセント本体２０１における電源プラグが差し込まれる方向と並行する４つの面に１つずつケースウェイ取付口２１１〜２１４が配置されている。したがって、これら４つの面のすべてについて、ケースウェイを用いて、あるいはケースウェイ無しの電線およびアース線を用いてコンセント本体２０１への配線が可能になる。このためには、まず、電源プラグから引き出される電源ケーブルの望ましい方向に合わせて露出角型コンセント２００を適宜の角度だけ壁等の取付け面に対して平行な状態で回転させて固定する。次に、図示しない２００ボルトの商用電源に接続した電線およびアース線が、最も回り道にならないように第１〜第４のケースウェイ取付口２１１〜２１４の中から１つを選択してそこからこれらをコンセント本体２０１に接続すればよい。
【００２４】
このため、本実施例の場合には図６で示したように第１および第２の電線２６１、２６２およびアース線２６３が下から第３のケースウェイ取付口２１３を介して接続される接続形態、すなわち第１、第２の電線２６１、２６２およびアース線２６３と電源プラグにおけるこれらの線が並行となるような接続形態に対応することができる。しかも本実施例では露出角型コンセント２００に第１〜第４のケースウェイ取付口２１１〜２１４を配置したので、図８および図９に示した従来の露出角型コンセント１００と比較すると、ケースウェイを４方向すべてに適用することができる。
【００２５】
もちろん、本実施例では４つの面すべてにケースウェイ取付口２１１〜２１４を配置したが、これに限るものではない。すなわち、ケースウェイ取付口２１１〜２１４のうちのすべてあるいは一部をケースウェイ無しとし、電線およびケーブル線を直接、コンセント本体２０１に接続するようにしてもよい。
【００２６】
また、図８および図９に示した露出角型コンセント１００の場合には、ネジ１０３の配置されている位置がコンセント本体１０１の中心位置から大きく変位する結果として、図１に示した上蓋１０２をこの１本のネジ１０３でコンセント本体１０１に強固に止めにくいという問題があった。本実施例の露出角型コンセント２００の場合には、コンセント本体２０１と上蓋２０２を固定するネジ２０３がより中心に近い位置に配置されている。したがって、上蓋２０２をコンセント本体２０１により強固に固定することができる。
【００２７】
なお、実施例では電磁調理器用の露出角型コンセントについて説明したが、電磁調理器以外の用途に本発明を同様に適用することができる。また、実施例では３０アンペア２５０ボルトの高容量のコンセントの場合を説明したが、電圧およびアンペア数が実施例と同一の場合に限定されるものではないことは当然である。
【図面の簡単な説明】
【００２８】
【図１】本発明の一実施例における露出角型コンセントの外観を表わした斜視図である。
【図２】図１に示した露出角型コンセントの本体の内部構造を示した平面図である。
【図３】図２で示した矢印２４３方向から露出角型コンセントを見た側面図である。
【図４】本実施例で第１のケースウェイ取付口から電線およびアース線を差し込む場合の配線の様子を示した平面図である。
【図５】本実施例で第２のケースウェイ取付口から電線およびアース線を差し込む場合の配線の様子を示した平面図である。
【図６】本実施例で第３のケースウェイ取付口から電線およびアース線を差し込む場合の配線の様子を示した平面図である。
【図７】本実施例で第４のケースウェイ取付口から電線およびアース線を差し込む場合の配線の様子を示した平面図である。
【図８】従来提案された露出角型コンセントの外観を表わした斜視図である。
【図９】図８に示した露出角型コンセントの本体の内部構造を示した平面図である。
【符号の説明】
【００２９】
２００  露出角型コンセント
２０１  コンセント本体
２０２  上蓋
２０３  ネジ
２０４  凹部
２０５、２０６、２０７  第１〜第３の刃挿入口
２１１、２１２、２１３、２１４  第１〜第４のケースウェイ取付口
２１５、２１６、２１７、２１８  第１〜第４のコード貫通用穴
２２５  貫通孔
【図１】
2007026680.tif 000003
【図２】
2007026680.tif 000004
【図３】
2007026680.tif 000005
【図４】
2007026680.tif 000006
【図５】
2007026680.tif 000007
【図６】
2007026680.tif 000008
【図７】
2007026680.tif 000009
【図８】
2007026680.tif 000010
【図９】
2007026680.tif 000011